【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
関心地点(POI: point of interest)の検索要求をコンピューティングデバイスで処理するステップと、
各々がデータソースの優先度を有する複数のデータソースを識別するステップであって、前記複数のデータソースの各々はデータソースの複数のカテゴリのうち1つに属し、前記複数のデータソースのうち第1のデータソースは前記複数のカテゴリのうち第1のカテゴリに属し、前記複数のデータソースのうち第2のデータソースは前記複数のカテゴリのうち第2のカテゴリに属し、前記第1のカテゴリは前記第2のカテゴリとは異なる、ステップと、
前記POI検索要求と関連するメタデータを求めて前記複数のデータソースに照会するステップであって、前記照会する順序は、前記複数のデータソースの各々についての前記データソースの優先度と、前記複数のカテゴリの各々に対するカテゴリの優先度とに基づく、照会するステップと、
前記複数のデータソースに照会したのに応答して、時間の経過につれて、前記POI検索要求に一致する、前記複数のデータソースからのメタデータ入力を受け取るステップと、
前記メタデータ入力が受取られると、言語解析モジュールを使用して、各メタデータ入力を以前に受け取られたメタデータ入力をマージし、それによって、更新されたマージされたメタデータ入力を生成するステップと、
前記複数のデータソースの少なくとも1つに関して少なくとも1つのソース品質メトリックを測定するステップと、
前記マージされたメタデータが更新されると、前記更新されたマージされたメタデータに基づいて前記POI検索要求に応答するステップと、
を含む、方法。
【請求項２】
前記複数のデータソースの前記少なくとも1つについての前記少なくとも1つのソース品質メトリックを使用して、前記複数のデータソースの前記少なくとも1つについての前記データソースの優先度をアップデートするステップをさらに含む、請求項1に記載の方法。
【請求項３】
前記複数のデータソースの各々に関して少なくとも1つのソース品質メトリックを測定するステップは、
前記第1の参照先ソースの応答時間を測定するステップと、
前記第1の構造化知識ベースの応答時間を測定するステップと、
を含む、請求項1に記載の方法。
【請求項４】
前記複数のデータソースは、前記第1の個々のウェブサイトをさらに含む、請求項3に記載の方法。
【請求項５】
前記複数のデータソースは、第1の参照先ソース、第1の構造化知識ベースおよび第1の個々のウェブサイトを含み、前記第1の参照先ソース、前記第1の構造化知識ベースおよび前記第1の個々のウェブサイトは異なるデータソースの優先度を有し、
前記第1の参照先ソースは、市販のデータベース、オンラインの旅行ガイド、オンラインの名所ガイド、または市販のクラウドソーシングのデータベースのうち少なくとも1つを含み、
前記第1の構造化知識ベースは、オンラインディレクトリを含み、
前記個々のウェブサイトは、個々の関心地点を記述するウェブサイトを含み、
前記第1の参照先ソースについての前記データソースの優先度、前記第1の構造化知識ベースについての前記データソースの優先度および前記第1の個々のウェブサイトについての前記データソースの優先度は、各々、デフォルトのデータソースの優先度である、
請求項1に記載の方法。
【請求項６】
前記第1のカテゴリに属する前記複数のデータソースについてのデフォルトのデータソースの優先度は、前記第2のカテゴリに属するデータソースについてのデフォルトのデータソースの優先度より高い、請求項5に記載の方法。
【請求項７】
前記第1の個々のウェブサイトは第3のカテゴリに属し、前記第3のカテゴリは前記第1のカテゴリおよび前記第2のカテゴリと異なり、前記第3のカテゴリに属するデータソースについての前記デフォルトのデータソースの優先度は、前記第2のカテゴリに属するデータソースについての前記デフォルトのデータソースの優先度より高い、請求項6に記載の方法。
【請求項８】
前記第1の参照先ソース、前記第1の構造化知識ベースおよび前記第1の個々のウェブサイトからの相矛盾するメタデータ入力を識別するステップと、前記POI検索要求に応答するのに先立ち、前記マージされたメタデータからの前記相矛盾するメタデータ入力を除去するステップとをさらに含む、請求項4に記載の方法。
【請求項９】
前記第1の参照先ソースおよび第2のオンライン参照先ソースに照会するステップと、
前記第1の参照先ソースの第1の個々のPOIメタデータ、および前記第2のオンライン参照先ソースからの第2の個々のPOIメタデータから個々のPOIを識別するステップと、
前記第1の個々のPOIに対する第1のPOIに適合するメタデータ、および前記第1の個々のPOIメタデータおよび前記第2の個々のPOIメタデータから前記個々のPOIに対する第1のPOIと相矛盾するメタデータを識別するステップと、
前記第1のPOIに適合するメタデータを使用し、前記第1のPOIと相矛盾するメタデータを除去し、それによって第1の個々のPOIのマージされたメタデータを生成するステップと、
前記第1の構造化知識ベースに照会するのに先立ち、前記第1の個々のPOIのマージされたメタデータを用いて前記POI検索要求に応答するステップとをさらに含む、請求項4に記載の方法。
【請求項１０】
前記第1の構造化知識ベースの第3の個々のPOIメタデータから前記個々のPOIを識別するステップと、
前記個々のPOIに対して第2のPOIに適合するメタデータ、および前記第1の個々のPOIのマージされたメタデータおよび前記第3の個々のPOIメタデータから前記個々のPOIに対して第2のPOIと相矛盾するメタデータを識別するステップと、
前記第2のPOIに適合するメタデータおよび前記第2のPOIと相矛盾するメタデータを使用して、前記第1の個々のPOIのマージされたメタデータをアップデートし、それによって第2の個々のPOIのマージされたメタデータを生成するステップと、
前記第2の個々のPOIのマージされたメタデータを用いて前記POI検索要求に応答することによって、前記POI検索要求への前記応答をアップデートするステップとをさらに含む、請求項9に記載の方法。
【請求項１１】
前記データソースの優先度は、予期された応答時間、ユーザの好みの選択、またはデータ品質測定の1つまたは複数を使用して決定される、請求項2に記載の方法。
【請求項１２】
前記POI検索要求に一致する、前記複数のデータソースからのメタデータ入力を識別するステップは、
前記複数のデータソースに照会したのに対する応答を受け取るステップであって、前記応答は、個々のPOIメタデータを含む、受け取るステップと、
前記応答が受け取られたとき時間の経過につれて、言語解析モジュールを使用して各個々のPOIに対して適合するメタデータおよび相矛盾するメタデータを識別することによって、前記マージされたメタデータをアップデートするステップとを含み、
前記マージされたメタデータを使用して前記POI検索要求に応答するステップは、前記応答が受け取られ、前記マージされたメタデータがアップデートされたとき時間の経過につれて、複数のマージされたメタデータの更新データを伝達するステップを含む、請求項2に記載の方法。
【請求項１３】
前記言語解析モジュールを使用して前記複数のデータソースからの前記メタデータ入力をマージし、それによって前記マージされたメタデータを生成するステップは、前記マージされたメタデータ中に各個々のPOI結果に関する前記適合するメタデータを含めるステップと、前記マージされたメタデータから前記相矛盾するメタデータを除外するステップとを含み、
前記POI検索要求に応答するステップは、照会に対する応答が受け取られたとき、前記マージされたメタデータがアップデートされるたびに、前記マージされたメタデータの更新データを伝達するステップを含む、請求項12に記載の方法。
【請求項１４】
命令を含む非一時的なコンピュータ可読命令媒体であって、前記命令は、プロセッサによって実行されたとき、請求項1乃至13の何れか1項に記載の方法をコンピューティングデバイスに実施させる、非一時的なコンピュータ可読命令媒体。
【請求項１５】
関心地点(POI)の検索要求を処理するための手段と、
各々がデータソースの優先度を有する複数のデータソースを識別するための手段であって、前記複数のデータソースの各々はデータソースの複数のカテゴリのうち1つに属し、前記複数のデータソースのうち第1のデータソースは前記複数のカテゴリのうち第1のカテゴリに属し、前記複数のデータソースのうち第2のデータソースは前記複数のカテゴリのうち第2のカテゴリに属し、前記第1のカテゴリは前記第2のカテゴリとは異なる、手段と、
前記POI検索要求と関連するメタデータを求めて前記複数のデータソースに照会するための手段であって、前記照会する順序が、前記複数のデータソースの各々についての前記データソースの優先度と、前記複数のカテゴリの各々に対するカテゴリの優先度とに基づく、照会するための手段と、
前記複数のデータソースに照会したのに応答して、時間の経過につれて、前記POI検索要求に一致する、前記複数のデータソースからのメタデータ入力を受け取るための手段と、
前記メタデータ入力が受取られると、言語解析モジュールを使用して、各メタデータ入力を以前に受け取られたメタデータ入力をマージし、それによって、更新されたマージされたメタデータ入力を生成するための手段と、
前記複数のデータソースの少なくとも1つに関して少なくとも1つのソース品質メトリックを測定するための手段と、
前記マージされたメタデータが更新されると、前記更新されたマージされたメタデータに基づいて前記POI検索要求に応答するための手段と、
を含む、コンピューティングデバイス。